(57)【要約】【課題】内燃機関の運転状態が変化する場合に摺動部における油膜切れの発生を抑制する。【解決手段】制御装置は、アクセル開度およびエンジン回転数を取得するステップ（Ｓ１００）と、目標ストライベック数を取得するステップ（Ｓ１０２）と、目標油膜温度を設定するステップ（Ｓ１０４）と、ジャーナル温度を取得するステップ（Ｓ１０６）と、実油膜温度を算出するステップ（Ｓ１０８）と、実油膜温度−目標油膜温度の値がしきい値αよりも大きいと（Ｓ１１０にてＹＥＳ）、開閉弁を開状態にするステップ（Ｓ１１２）と、油圧補正量を算出するステップ（Ｓ１１４）と、油圧上昇制御を実行するステップ（Ｓ１１６）とを含む、処理を実行する。【選択図】図８
2020007970.tif 000002
【特許請求の範囲】
【請求項１】
クランクシャフトと、
前記クランクシャフトの摺動部に作動油を供給するオイルポンプと、
前記オイルポンプを制御する制御装置とを備え、
前記制御装置は、
内燃機関の運転状態に応じて、前記摺動部において油膜切れが発生しない前記作動油の目標温度を設定し、
作動油の温度と前記目標温度との差分が大きい場合には、前記差分が小さい場合よりも前記作動油の油圧の上昇量が増加するように前記オイルポンプを制御する、内燃機関。
【請求項２】
前記制御装置は、前記作動油の温度が前記目標温度になるまでの間において前記作動油の実油膜厚さが下限値を下回らないように前記作動油の油圧の上昇量を設定する、請求項１に記載の内燃機関。
【請求項３】
前記内燃機関は、前記作動油の温度を調整するように構成された温度調整装置をさらに備え、
前記制御装置は、前記作動油の温度が前記目標温度になるように前記温度調整装置を制御する、請求項１または２に記載の内燃機関。
【発明の詳細な説明】
【技術分野】
【０００１】
本発明は、内燃機関の制御に関する。
【背景技術】
【０００２】
従来より、エンジン内部においては、潤滑用の作動油がオイルポンプ等を用いてクランクシャフトと軸受部との間の摺動部等の潤滑対象箇所に供給される。このような摺動部に供給される作動油は、その粘度が作動油の温度によって変化するという特性を有しており、摺動部における摩擦損失低減のために作動油の温度を上昇させてその粘度を小さくするという技術が公知である。
【０００３】
たとえば、特開２００１−４１０４０号（特許文献１）は、エンジンの潤滑油および冷却水間で熱交換を行なう熱交換器において、潤滑油の流量および冷却水の流量を制御して潤滑油温度を適切な値に保持する技術が開示される。
【先行技術文献】
【特許文献】
【０００４】
【特許文献１】特開２００１−４１０４０号公報
【発明の概要】
【発明が解決しようとする課題】
【０００５】
ところで、特許文献１のように、作動油の粘度は、燃費の観点から摺動部における摺動抵抗が増大しないように、エンジンの運転状態に応じた最適な値に調整されているが、エンジンの運転状態の変化によって、摺動部において当接する部材間に作用する荷重が増加する場合には、増加した荷重によって摺動部に形成される作動油の油膜厚さが薄くなり、油膜切れが発生することがある。そのため、摺動部で油膜切れが発生しないように、作動油の温度を調整することで作動油の粘度を最適な値に調整することが求められる。しかしながら、摺動部における荷重の増加を受けて作動油の温度の調整を行なった場合、作動油の温度の変化速度はエンジン運転状態の変化速度ほど速くないので、摺動部において一時的に油膜切れが発生してしまう虞がある。
【０００６】
本発明は、上述した課題を解決するためになされたものであって、その目的は、内燃機関の運転状態が変化する場合に摺動部における油膜切れの発生を抑制する内燃機関を提供することである。
【課題を解決するための手段】
【０００７】
この発明のある局面に係る内燃機関は、クランクシャフトと、クランクシャフトの摺動部に作動油を供給するオイルポンプと、オイルポンプを制御する制御装置とを備える。制御装置は、内燃機関の運転状態に応じて、摺動部において油膜切れが発生しない作動油の目標温度を設定する。制御装置は、作動油の温度と目標温度との差分が大きい場合には、差分が小さい場合よりも作動油の油圧の上昇量が増加するようにオイルポンプを制御する。
【０００８】
このようにすると、作動油の温度と目標温度との差分が大きい場合には、差分が小さい場合よりも作動油の油圧の上昇量が増加するようにオイルポンプが制御されるので、内燃機関の運転状態が変化する場合にも作動油の油圧を上昇させることによって油膜厚さを厚くして摺動部における油膜切れの発生を抑制することができる。
【０００９】
好ましくは、制御装置は、作動油の温度が目標温度になるまでの間において作動油の実油膜厚さが下限値を下回らないように作動油の油圧の上昇量を設定する。
【００１０】
このようにすると、作動油の温度が目標温度になるまでの間においては、温度の上昇遅れによる作動油の実油膜厚さの不足分を作動油の油圧上昇によって補うことができる。そのため、摺動部における油膜切れの発生を抑制することができる。
【００１１】
さらに好ましくは、内燃機関は、作動油の温度を調整するように構成された温度調整装置をさらに備える。制御装置は、作動油の温度が目標温度になるように温度調整装置を制御する。
【００１２】
このようにすると、作動油の温度が目標温度になるように温度調整装置が制御されるので、作動油の温度が目標温度に到達するまでの温度の上昇遅れの期間において油圧を増加させることによって摺動部における油膜切れの発生を抑制することができる。
【発明の効果】
【００１３】
この発明によると、内燃機関の運転状態が変化する場合に摺動部における油膜切れの発生を抑制する内燃機関を提供することができる。
【図面の簡単な説明】
【００１４】
【図１】本実施の形態におけるエンジンの概略構成の一例を示す図である。
【図２】燃料消費量と摩擦損失との関係の一例を示す図である。
【図３】燃料噴射量とエンジン回転数との関係を示す図である。
【図４】本実施の形態において筒内圧と荷重との関連を説明するための図である。
【図５】摺動部における摩擦係数とストライベック数との関係の一例を示す図である。
【図６】クランクシャフトにおける摺動部の拡大断面図である。
【図７】作動油の油膜厚さと荷重との関係を示す図である。
【図８】制御装置で実行される制御処理の一例を示すフローチャートである。
【図９】予め設定される目標ストライベック数を説明するための図である。
【図１０】作動油の粘度の温度特性の一例を示す図である。
【図１１】制御装置の動作の一例を説明するためのタイミングチャートである。
【図１２】作動油の油膜厚さと油圧との関係の一例を示す図である。
【図１３】エンジンの運転状態が変化するときの作動油の油膜厚さと荷重との関係の変化の一例を説明するための図である。
【発明を実施するための形態】
【００１５】
以下、図面を参照しつつ、本発明の実施の形態について説明する。以下の説明では、同一の部品には同一の符号が付されている。それらの名称および機能も同じである。したがってそれらについての詳細な説明は繰返されない。
【００１６】
図１は、本実施の形態におけるエンジン１の概略構成の一例を示す図である。エンジン１は、たとえば、ガソリンエンジン、ディーゼルエンジンあるいはガスエンジン等の内燃機関である。エンジン１は、たとえば、車両に搭載され、動力源として用いられるものとする。
【００１７】
図１に示すように、エンジン１は、シリンダヘッド１０と、シリンダブロック１２と、ピストン１４と、コネクティングロッド１６と、クランクシャフト２０と、オイルポンプ３０と、電動ウォータポンプ４０と、制御装置２００とを備える。なお、図１において、破線矢印は、各種の信号の流れを示す。
【００１８】
シリンダヘッド１０は、シリンダブロック１２の上部に設けられる。シリンダブロック１２には、シリンダボア（ボア壁）１３によって気筒が形成される。なお、気筒の数は、単数であってもよいし、複数であってもよい。ピストン１４は、気筒内に収納される。また、シリンダブロック１２には、シリンダブロック１２を冷却する冷却水を流通させるためのウォータジャケット５０，５２が形成される。
【００１９】
ピストン１４の頂部とボア壁１３とシリンダヘッド１０とによって燃焼室（燃料が燃焼する空間）が形成されている。ピストン１４が気筒内を摺動することによって燃焼室の容積が変化される。
【００２０】
気筒の上部にはインジェクタ（図示せず）が設けられており、エンジン１の動作中においては、制御装置２００によって設定されたタイミングで、設定された量の燃料が気筒内に噴射される。
【００２１】
なお、インジェクタから噴射される燃料の噴射量およびタイミングは、たとえば、エンジン回転数、吸入空気量、アクセルペダルの踏み込み量（以下、アクセル開度と記載する）あるいは、エンジン１を搭載した車両の速度等から制御装置２００によって設定される。
【００２２】
ピストン１４は、コネクティングロッド１６を介してクランクシャフト２０に接続されている。
【００２３】
より具体的には、クランクシャフト２０は、軸中心が回転軸と一致しないクランクピン１８と、軸中心が回転軸と一致するクランクジャーナル２２とを含む。クランクピン１８には、コネクティングロッド１６の一方端が回転自在に連結される。クランクジャーナル２２は、シリンダブロック１２に設けられる軸受部２３において回転自在に支持される。
【００２４】
気筒で燃料が燃焼することによって生じる筒内圧によって、ピストン１４が摺動し、ピストン１４が往復運動することで、クランクピン１８に連結されるコネクティングロッド１６の一方端がクランクシャフト２０の回転軸を中心として回転する。このクランクピン１８の回転運動によって、クランクシャフト２０が回転する。特に図示はしないが、ピストン１４の外周にはリング溝が設けられ、このリング溝に複数個のピストンリングが嵌め合わされる。
【００２５】
オイルポンプ３０は、クランクシャフト２０の回転力によって動作する機械式オイルポンプである。オイルポンプ３０は、その動作時において、ストレーナ３２を経由してシリンダブロック１２の底部のオイルパンに貯留する作動油を吸い上げて、吸い上げた作動油を作動油配管３４に吐出する。作動油配管３４は、冷却水と作動油との間で熱交換が可能な熱交換器であるオイルクーラ４１を通過してメインオイルホール３６に接続される。
【００２６】
オイルポンプ３０の吐出口には、たとえば、作動油配管３４と作動油をオイルパンに還流するドレイン通路とに作動油を振り分けるための電磁弁が設けられる。電磁弁は、制御装置２００からの制御信号に応じて動作し、オイルポンプ３０から吐出される作動油の量のうちの作動油配管３４とドレイン通路とに振り分ける割合を調整する。なお、オイルポンプ３０は、たとえば、制御装置２００からの制御信号に応じて動作する電動オイルポンプであってもよい。
【００２７】
メインオイルホール３６には、シリンダブロック１２内の潤滑対象に接続される複数の枝管や潤滑対象に作動油を吐出するオイルジェット等が接続される。潤滑対象としては、たとえば、クランクシャフト２０の軸受部２３、ボア壁１３およびピストン１４の下部を含む。
【００２８】
なお、オイルクーラ４１内での作動油配管３４には、オイルクーラ４１内での経路長が長くなるように屈曲した形状（たとえば、らせん形状）が形成されてもよい。
【００２９】
オイルクーラ４１には、冷却水が流入する流入口４１ａと、オイルクーラ４１内を流通した冷却水が流出する流出口４１ｂとが設けられる。
【００３０】
電動ウォータポンプ４０は、制御装置２００からの制御信号に応じてモータ等を用いて冷却水を吐出する。電動ウォータポンプ４０には、冷却水の流入口４０ａと、ウォータジャケット５０，５２に冷却水を供給する第１流出口４０ｂと、オイルクーラ４１に冷却水を供給する第２流出口４０ｃとが設けられる。
【００３１】
流入口４０ａには、ラジエータ（図示せず）からの冷却水が流入する。第１流出口４０ｂとウォータジャケット５０とは、第１冷却水配管４４によって接続される。なお、ウォータジャケット５０，５２間は、図示しない連通路によって接続され、ウォータジャケット５２から排出される冷却水は、サーモスタットの機能によって高温時にはラジエータを経由して流入口４０ａに循環され、低温時にはラジエータを経由しないで流入口４０ａに循環される。
【００３２】
第２流出口４０ｃとオイルクーラ４１の流入口４１ａとは、第２冷却水配管４６によって接続される。オイルクーラ４１の流出口４１ｂは、第３冷却水配管４８の一方端に接続される。第３冷却水配管４８の他方端は、電動ウォータポンプ４０の流入口４０ａに接続される冷却水配管（図示せず）に接続される。第２冷却水配管４６の途中には、開閉弁４２が設けられる。開閉弁４２は、制御装置２００からの制御信号に応じて開状態と閉状態とのうちのいずれかの状態に制御される。開閉弁４２は、たとえば、作動油の冷却が要求されない場合には閉状態に制御される。開閉弁４２が閉状態である場合には、第２冷却水配管４６および第３冷却水配管４８において冷却水は流通しない。そのため、電動ウォータポンプ４０の動作によって第１流出口４０ｂから吐出される冷却水は、第１冷却水配管４４からウォータジャケット５０，５２を経由して最終的に流入口４０ａに循環する。
【００３３】
一方、開閉弁４２は、たとえば、作動油の冷却が要求される場合に開状態に制御される。このとき、電動ウォータポンプ４０の第１流出口４０ｂから第１冷却水配管４４に冷却水が吐出されるとともに、第２流出口４０ｃから第２冷却水配管４６に冷却水が吐出される。第２流出口４０ｃから吐出される冷却水は、第２冷却水配管４６を流通し、オイルクーラ４１の流入口４１ａに供給される。オイルクーラ４１内において作動油配管３４内の作動油と熱交換した冷却水は流出口４１ｂから第３冷却水配管４８を経由して最終的に流入口４０ａに循環する。
【００３４】
エンジン１の動作は、制御装置２００によって制御される。制御装置２００は、各種処理を行なうＣＰＵ（Central  Processing  Unit）と、プログラムおよびデータを記憶するＲＯＭ（Read  Only  Memory）およびＣＰＵの処理結果等を記憶するＲＡＭ（Random  Access  Memory）等を含むメモリと、外部との情報のやり取りを行なうための入・出力ポート（いずれも図示せず）とを含む。入力ポートには、各種センサ類（たとえば、エンジン回転数センサ１０２、ジャーナル温度センサ１０４およびアクセル開度センサ１０６等）が接続される。出力ポートには、制御対象となる機器（たとえば、複数のインジェクタ、オイルポンプ３０の吐出口に設けられる電磁弁、電動ウォータポンプ４０、開閉弁４２等）が接続される。
【００３５】
制御装置２００は、各センサおよび機器からの信号、ならびにメモリに格納されたマップおよびプログラムに基づいて、エンジン１が所望の運転状態となるように各種機器を制御する。なお、各種制御については、ソフトウェアによる処理に限られず、専用のハードウェア（電子回路）により処理することも可能である。また、制御装置２００には、時間の計測を行うためのタイマー回路（図示せず）が内蔵されている。
【００３６】
エンジン回転数センサ１０２は、エンジン回転数を検出する。エンジン回転数センサ１０２は、検出したエンジン回転数を示す信号を制御装置２００に送信する。
【００３７】
ジャーナル温度センサ１０４は、クランクシャフト２０の軸受部２３の温度（以下、ジャーナル温度と記載する）を検出する。ジャーナル温度センサ１０４は、検出したジャーナル温度を示す信号を制御装置２００に送信する。
【００３８】
アクセル開度センサ１０６は、アクセル開度を検出する。アクセル開度センサ１０６は、検出したアクセル開度を示す信号を制御装置２００に送信する。
【００３９】
以上のような構成を有するエンジン１の内部の摺動部（たとえば、クランクシャフト２０と軸受部２３との間の摺動部等）においては、摩擦損失と燃料消費量との間には、一定の相関関係がある。
【００４０】
図２は、燃料消費量と摩擦損失との関係の一例を示す図である。図２の縦軸は、燃料消費量を示す。図２の横軸は、摩擦損失を示す。図２に示すように、燃料消費量と摩擦損失とは、線形的に相関しており、たとえば、摩擦損失が大きいほど燃料消費量が増加し（すなわち、燃費が悪化し）、摩擦損失が小さいほど燃料消費量が減少する（燃費が改善する）関係を有する。
【００４１】
この摩擦損失を小さくするために、摺動部における摩擦係数を小さくすることが求められる。そのため、エンジン１の内部には、作動油がオイルポンプ３０を用いて摺動部等の潤滑対象箇所に供給される。このような摺動部に供給される作動油は、その粘度が作動油の温度によって変化するという特性を有しており、摺動部における摩擦損失低減のために作動油の温度を上昇させてその粘度が小さくなるように調整される。
【００４２】
ところで、エンジン１の運転状態が変化する場合には、摺動部における荷重が変化する場合がある。図３は、燃料噴射量とエンジン回転数との関係を示す図である。図３の縦軸は、燃料噴射量を示す。図３の横軸は、エンジン回転数を示す。図３の太線に示す上限ラインは、各エンジン回転数に対する燃料噴射量の上限値を示す。
【００４３】
図３に示すように、たとえば、燃料噴射量とエンジン回転数との関係がＣ点に対応する関係からＣ点よりも負荷が増加したＤ点に対応する関係に変化する場合には、エンジン１の負荷が増加することによって、筒内圧が上昇し、摺動部における摺動速度や摺動部において当接する部材間に作用する荷重が変化する場合がある。
【００４４】
図４は、本実施の形態において筒内圧と荷重との関連を説明するための図である。図４に示すように、筒内圧によってピストン１４の上部に作用する力は、コネクティングロッド１６およびクランクピン１８を経由してクランクジャーナル２２に伝達され、荷重Ｆとして軸受部２３との摺動面に作用する。そのため、エンジン１の運転状態（負荷）の変化によって筒内圧が変化し、摺動面に作用する荷重も変化する。
【００４５】
このように摺動部における摺動速度や摺動面に作用する荷重が変化する場合には、摩擦係数がしきい値よりも小さくなる最適な粘度も変化する場合がある。
【００４６】
図５は、摺動部における摩擦係数とストライベック数との関係の一例を示す図である。図５の縦軸は、摩擦係数を示す。図５の横軸は、ストライベック数を示す。ストライベック数とは、作動油の粘度ηと、摺動部における摺動速度Ｖと、摺動面に作用する荷重Ｆとによって決定される値である。より具体的には、ストライベック数＝粘度η×摺動速度Ｖ／荷重Ｆの式（以下、式（１）と記載する）によってストライベック数が特定され得る。このストライベック数は、摺動部における摩擦係数と間で図５に示すような関係を有する。
【００４７】
より具体的には、摩擦係数が最小値μ（０）となるストライベック数Ｓ（０）を基準として、ストライベック数がＳ（０）よりも値が小さい領域においては、ストライベック数が小さくなるほど摩擦係数が増加する。一方、ストライベック数がＳ（０）よりも値が大きい領域においては、ストライベック数が大きくなるほど摩擦係数が増加する。
【００４８】
エンジン１の運転状態が変化すると、上述のように摺動部における摺動速度Ｖも、摺動面に作用する荷重Ｆも変化する場合がある。このような場合に、ストライベック数が摩擦係数が大きくなるように変化する場合には、摩擦損失が増加し燃費向上が図れない場合がある。そのため、エンジン１の運転状態の変化に応じて、作動油の粘度（すなわち、作動油の温度）を調整することが求められる。
【００４９】
しかしながら、エンジン１の負荷の増加による摺動部における荷重の増加に対して作動油の温度調整に遅れが生じる場合には、作動油の粘度の調整に遅れが生じるため、摺動部において油膜切れが発生する場合がある。
【００５０】
本実施の形態における油膜とは、摺動部の摺動面に形成される油膜である。図６は、クランクシャフト２０における摺動部の拡大断面図である。図６に示すように、クランクシャフト２０のクランクジャーナル２２は、シリンダブロック１２の軸受部２３によって回転自在に支持される。上述のとおり、燃焼室内の燃焼によりピストン１４に作用する力（爆発力）は、ピストン１４からコネクティングロッド１６、クランクピン１８を経由してクランクジャーナル２２に伝達され、荷重Ｆとして摺動面に作用する。このときのクランクシャフト２０の回転数（エンジン回転数）から摺動速度Ｖが算出される。
【００５１】
この場合においてクランクジャーナル２２と軸受部２３との間の作動油によって油膜が形成される。このクランクジャーナル２２と軸受部２３との間に形成される油膜厚さが油膜切れが発生する厚さにならないように作動油の粘度を速やかに調整することが求められる。
【００５２】
図７は、作動油の油膜厚さと荷重との関係を示す図である。図７の縦軸は、油膜厚さを示す。図７の横軸は、荷重を示す。図７の実線は、作動油の粘度がηＡで一定である場合の油膜厚さと荷重との関係を示す。図７の一点鎖線は、作動油の粘度がηＢで一定である場合の油膜厚さと荷重との関係を示す。
【００５３】
図７の実線あるいは一点鎖線に示すように、作動油の粘度が一定となる場合には、荷重が増加するほど油膜厚さが減少することとなる。そのため、荷重の増加により作動油の油膜厚さが油膜切れが発生しない油膜厚さの下限値Ｔｈ（０）を下回る可能性がある。
【００５４】
より具体的には、たとえば、図７のＣ点に示すように、作動油の粘度がηＡであり、油膜厚さが下限値Ｔｈ（０）よりも大きく、かつ、荷重としてＦ（０）が作用している場合を想定する。
【００５５】
作動油の粘度が維持されつつ、荷重がＦ（０）からＦ（１）に増加すると、図７のＤ’点に示すように、荷重の増加によって油膜厚さが下限値Ｔｈ（０）よりも大きい状態から下限値Ｔｈ（０）よりも小さい状態に変化する。そのため、荷重がＦ（０）からＦ（１）に増加するような場合には、図７のＤ点に示すように、作動油の粘度をηＡからηＢに増加させることによって、作動油の油膜厚さが下限値Ｔｈ（０）よりも大きい状態を維持することができる。
【００５６】
作動油の粘度を増加させる場合には、作動油の温度を低下させる必要があるが、荷重の変化に対して作動油の温度調整に遅れが生じる場合には、作動油の粘度の調整に遅れが生じるため、油膜厚さが下限値Ｔｈ（０）を下回ることによって摺動部において油膜切れが発生する場合がある。
【００５７】
そこで、本実施の形態においては、制御装置２００は、作動油の温度と目標温度との差分が大きい場合には、差分が小さい場合よりも作動油の油圧の上昇量が増加するようにオイルポンプ３０を制御するものとする。
【００５８】
このようにすると、エンジン１の運転状態が変化する場合にも作動油の油圧を上昇させることによって油膜厚さを厚くして摺動部における油膜切れの発生を抑制することができる。
【００５９】
以下、図８を参照して、制御装置２００で実行される処理について説明する。図８は、制御装置２００で実行される制御処理の一例を示すフローチャートである。このフローチャートに示される処理は、所定の制御周期毎にメインルーチン（図示せず）から呼び出されて実行される。
【００６０】
ステップ（以下、ステップをＳと記載する）１００にて、制御装置２００は、アクセル開度およびエンジン回転数を取得する。制御装置２００は、たとえば、エンジン回転数センサ１０２およびアクセル開度センサ１０６とを用いてアクセル開度およびエンジン回転数を取得する。
【００６１】
Ｓ１０２にて、制御装置２００は、クランクシャフト２０の摺動部に対応する目標ストライベック数Ｓｔを取得する。目標ストライベック数Ｓｔは、予め定められた値であって、クランクシャフト２０の摺動部において少なくとも摩擦係数が予め定められた値以下となる値である。
【００６２】
図９は、予め設定される目標ストライベック数を説明するための図である。図９の縦軸は、摩擦係数を示す。図９の横軸は、ストライベック数を示す。この摩擦係数とストライベック数との関係は、実験等によって予め導出される。Ａ点は、図９の実線上の位置であって、かつ、摩擦係数が最小値μ（０）となる位置を示す。
【００６３】
目標ストライベック数Ｓｔとしては、たとえば、摩擦係数がμ（１）以下となるストライベック数の範囲のうちのいずれかのストライベック数が設定される。本実施の形態においては、Ａ点よりも右側のＢ点に対応するストライベック数Ｓ（１）が目標ストライベック数Ｓｔとして設定される。
【００６４】
Ａ点よりも右側の領域における図９の実線の傾きがＡ点よりも左側の領域における図９の実線の傾きよりも緩やかになる。そのため、Ａ点よりも右側のＢ点に対応するストライベック数Ｓ（１）を目標ストライベック数Ｓｔとして設定されることによって、目標ストライベック数Ｓｔに対して実際のストライベック数がばらついたとしても摩擦係数が大きく上昇することが抑制される。
【００６５】
目標ストライベック数Ｓｔは、たとえば、制御装置２００のメモリの所定の記憶領域に予め記憶される。制御装置２００は、メモリの所定の記憶領域から目標ストライベック数Ｓｔを読み出すことによって目標ストライベック数Ｓｔを取得する。
【００６６】
図８に戻って、Ｓ１０４にて、制御装置２００は、クランクシャフト２０の摺動部に形成される油膜の目標温度（以下、目標油膜温度と記載する）Ｔｔａｒｇｅｔを算出する。
【００６７】
制御装置２００は、たとえば、エンジン回転数を用いてクランクシャフト２０の摺動速度Ｖを算出する。制御装置２００は、アクセル開度とエンジン回転数とを用いてクランクシャフト２０の摺動部にかかる荷重Ｆを算出する。
【００６８】
制御装置２００は、たとえば、アクセル開度と、エンジン回転数と、アクセル開度とエンジン回転数と荷重との関係を示すマップとを用いて荷重Ｆを算出してもよい。アクセル開度とエンジン回転数と荷重との関係を示すマップは、たとえば、実験等によって適合され、予め作成されて制御装置２００のメモリに記憶される。なお、制御装置２００は、たとえば、アクセル開度とエンジン回転数とを用いて筒内圧を推定し、推定された筒内圧を用いて荷重Ｆを推定してもよい。
【００６９】
制御装置２００は、たとえば、上述の式（１）を式変形した、粘度η＝目標ストライベック数Ｓｔ×荷重Ｆ／摺動速度Ｖの式（以下、式（２）と記載する）を用いて目標粘度ηｔを算出する。
【００７０】
すなわち、制御装置２００は、Ｓ１０２にて取得された目標ストライベック数Ｓｔに荷重Ｆを乗算し、乗算した値を摺動速度Ｖで除算して得られた値を目標粘度ηｔとする。制御装置２００は、目標粘度ηｔと、作動油の粘度と油膜温度との関係を示すマップとを用いて目標油膜温度Ｔｔａｒｇｅｔを設定する。
【００７１】
図１０は、作動油の粘度の温度特性の一例を示す図である。図１０の縦軸は、作動油の粘度を示す。図１０の横軸は、油膜温度を示す。図１０に示す作動油の粘度の温度特性は、実験等によって適合され、制御装置２００のメモリに予め記憶される。なお、図１０に示す作動油の粘度の温度特性としては、作動油の種類によって温度特性が異なるため、作動油として使用される種類に適合する特性が予め設定され、メモリに記憶される。図１０の実線に示すように、作動油の粘度と油膜温度とは、油膜温度が高くなるほど作動油の粘度が低下し、油膜温度が低くなるほど作動油の粘度が増加する関係を有する。
【００７２】
制御装置２００は、たとえば、目標粘度ηｔがηＡである場合には、粘度ηＡに対応する温度Ｔｏ（１）を目標油膜温度Ｔｔａｒｇｅｔとして設定する。あるいは、制御装置２００は、目標粘度ηｔがηＢである場合には、粘度ηＢに対応する温度Ｔｏ（０）を目標油膜温度Ｔｔａｒｇｅｔとして設定する。
【００７３】
図８に戻って、Ｓ１０６にて、制御装置２００は、ジャーナル温度センサ１０４によって検出されるジャーナル温度を取得する。
【００７４】
Ｓ１０８にて、制御装置２００は、取得したジャーナル温度を用いて実油膜温度Ｔａｃｔを算出する。制御装置２００は、たとえば、ジャーナル温度に予め定められた補正係数を乗算した値を実油膜温度Ｔａｃｔとして算出してもよいし、あるいは、ジャーナル温度にエンジン１の運転状態（アクセル開度やエンジン回転数）に基づいて設定された補正係数を乗算した値を実油膜温度Ｔａｃｔとして算出してもよい。
【００７５】
Ｓ１１０にて、制御装置２００は、実油膜温度Ｔａｃｔから目標油膜温度Ｔｔａｒｇｅｔを減算した値がしきい値αよりも大きいか否かを判定する。実油膜温度Ｔａｃｔから目標油膜温度Ｔｔａｒｇｅｔを減算した値がしきい値αよりも大きいと判定される場合（Ｓ１１０にてＹＥＳ）、処理はＳ１１２に移される。
【００７６】
Ｓ１１２にて、制御装置２００は、開状態になるように開閉弁４２を制御する。Ｓ１１４にて、制御装置２００は、油圧補正量を算出する。制御装置２００は、たとえば、実油膜温度Ｔａｃｔと目標油膜温度Ｔｔａｒｇｅｔとの差分と、油圧補正量との関係を示すマップを用いて油圧補正量を算出する。実油膜温度Ｔａｃｔと目標油膜温度Ｔｔａｒｇｅｔとの差分と油圧補正量との関係を示すマップは、実験等によって適合され、予め作成されて制御装置２００のメモリに記憶される。
【００７７】
なお、実油膜温度Ｔａｃｔと目標油膜温度Ｔｔａｒｇｅｔとの差分と、油圧補正量との関係は、たとえば、実油膜温度Ｔａｃｔと目標油膜温度Ｔｔａｒｇｅｔとの差分から作動油の粘度の不足分が算出され、算出された作動油の粘度の不足分から作動油の油膜厚さの不足分が算出され、算出された作動油の油膜厚さの不足分から油圧補正量が算出されることによって特定される。
【００７８】
Ｓ１１６にて、制御装置２００は、油圧上昇制御を実行する。具体的には、制御装置２００は、エンジン１の運転状態によって設定される油圧の要求値にＳ１１４にて算出された油圧補正量を加算した値を油圧の指令値としてオイルポンプ３０を制御する。なお、制御装置２００は、たとえば、アクセル開度（燃料噴射量）とエンジン回転数とを用いて作動油の油圧の要求値を設定する。
【００７９】
なお、実油膜温度Ｔａｃｔから目標油膜温度Ｔｔａｒｇｅｔを減算した値がしきい値α以下であると判定される場合（Ｓ１１０にてＮＯ）、処理は終了される。
【００８０】
以上のような構造およびフローチャートに基づく本実施の形態における制御装置２００の動作について図１１を参照しつつ説明する。
【００８１】
図１１は、制御装置２００の動作の一例を説明するためのタイミングチャートである。図１１の上段、中段および下段のグラフの各横軸は、時間を示す。図１１の上段のグラフの縦軸は、負荷、燃料噴射量、エンジン回転数およびアクセル開度を示す。図１１の中段のグラフの縦軸は、作動油の油膜温度および作動油の粘度を示す。図１１の下段のグラフの縦軸は、油圧を示す。
【００８２】
図１１のＬＮ１は、エンジン１の負荷の変化を示す。図１１のＬＮ２は、エンジン１における燃料噴射量の変化を示す。図１１のＬＮ３は、エンジン回転数の変化を示す。図１１のＬＮ４は、アクセル開度の変化を示す。図１１のＬＮ５は、目標油膜温度Ｔｔａｒｇｅｔの変化を示す。図１１のＬＮ６（破線）は、実油膜温度Ｔａｃｔの変化を示す。図１１のＬＮ７は、目標粘度ηｔの変化を示す。図１１のＬＮ８（破線）は、実粘度の変化を示す。図１１のＬＮ９は、エンジン１の運転状態に基づく油圧の要求値の変化を示す。図１１のＬＮ１０（二点鎖線）は、油圧の指令値の変化を示す。
【００８３】
たとえば、エンジン１が動作中であって、かつ、エンジン１を搭載した車両が一定の負荷状態で走行中である場合を想定する。
【００８４】
アクセル開度およびエンジン回転数が取得され（Ｓ１００）、制御装置２００のメモリに記憶された目標ストライベック数Ｓｔが取得され（Ｓ１０２）、目標油膜温度Ｔｔａｒｇｅｔが設定される（Ｓ１０４）。すなわち、取得されたアクセル開度およびエンジン回転数を用いて摺動速度Ｖと荷重Ｆとが算出される。さらに、目標ストライベック数Ｓｔに荷重Ｆを乗算した値が摺動速度Ｖで除算されることによって目標粘度ηｔが算出される。算出された目標粘度ηｔに対応する作動油の温度が目標油膜温度Ｔｔａｒｇｅｔとして設定される。
【００８５】
さらに、ジャーナル温度が取得され（Ｓ１０６）、取得されたジャーナル温度が補正されて実油膜温度Ｔａｃｔが算出される（Ｓ１０８）。実油膜温度Ｔａｃｔから目標油膜温度Ｔｔａｒｇｅｔを減算した値がしきい値α以下であるときには（Ｓ１１０にてＮＯ）、作動油の油圧はエンジン１の状態に応じて制御される。
【００８６】
一方、図１１のＬＮ４に示すように、時間ｔ（０）にて、ユーザがアクセルペダルを踏み込むなどして、アクセル開度が増加すると、図１３のＬＮ１，ＬＮ２およびＬＮ３に示すように、エンジン１の負荷、燃料噴射量およびエンジン回転数は、アクセル開度の増加に追従して増加することになる。
【００８７】
負荷の増加により、クランクジャーナル２２における摺動面に作用する荷重が増加すると、図１１のＬＮ７に示すように、荷重の増加に応じて目標粘度ηｔが増加していく。そのため、図１３のＬＮ５に示すように、実油膜温度Ｔａｃｔよりも低い温度が目標油膜温度Ｔｔａｒｇｅｔとして設定されることになる。
【００８８】
実油膜温度Ｔａｃｔから目標油膜温度Ｔｔａｒｇｅｔを減算した値がしきい値αよりも大きくなる場合には（Ｓ１１０にてＹＥＳ）、開閉弁４２が開状態になる（Ｓ１１２）。開閉弁４２が開状態になることにより冷却水がオイルクーラ４１に供給される。供給された冷却水と作動油配管３４内の作動油との間で熱交換が行なわれることによって作動油が冷却される。そのため、図１３のＬＮ６に示すように、時間ｔ（０）の後の時間ｔ（１）にて、目標油膜温度Ｔｔａｒｇｅｔの低下に遅れて作動油の実油膜温度Ｔａｃｔが低下していく。図１１のＬＮ８に示すように、実油膜温度Ｔａｃｔの低下に応じて作動油の実粘度が増加していく。
【００８９】
また、時間ｔ（０）以降において、実油膜温度Ｔａｃｔと目標油膜温度Ｔｔａｒｇｅｔとの間の差分がしきい値αよりも大きくなると、差分に応じた油圧補正量が算出され（Ｓ１１４）、算出された油圧補正量を用いた油圧上昇制御が実行される（Ｓ１１６）。そのため、図１３のＬＮ１０に示すように、図１３のＬＮ９に示す油圧の要求値よりも油圧補正量分だけ高い油圧を指令値としてオイルポンプ３０が制御されることとなる。
【００９０】
図１２は、作動油の油膜厚さと油圧との関係の一例を示す図である。図１２の縦軸は、油膜厚さを示す。図１２の横軸は、油圧を示す。図１２に示すように、エンジン１の運転状態に基づく油圧の要求値を指令値Ｐ（０）として設定された場合には、油膜厚さが下限値Ｔｈ（０）よりも薄いＴｈ（１）となるのに対して、油圧の要求値に油圧補正量が加算された値を指令値Ｐ（１）として設定されることによって、油膜厚さが下限値Ｔｈ（０）よりも厚いＴｈ（２）となる。
【００９１】
図１３は、エンジン１の運転状態が変化するときの作動油の油膜厚さと荷重との関係の変化の一例を説明するための図である。図１３の縦軸は、油膜厚さを示す。図１３の横軸は、荷重を示す。図１３に示すように、たとえば、エンジン１の運転状態が変化する前において荷重Ｆ（０）が摺動面に作用し、作動油の粘度がηＡであって、かつ、油膜厚さが下限値Ｔｈ（０）よりも高いＴｈ（２）である場合（Ｅ点）を想定する。
【００９２】
エンジン１の運転状態が変化して、荷重がＦ（０）からＦ（２）（Ｆ点）に変化している間において、油圧が一定であるものとすると、実油膜温度Ｔａｃｔの温度上昇の遅れから実油膜温度Ｔａｃｔと目標油膜温度Ｔｔａｒｇｅｔとが乖離する。そのため、図１３の破線の矢印に示すように、荷重がＦ（０）とＦ（２）との間のＦ（１）となる時点（Ｇ’点）において油膜厚さが下限値Ｔｈ（０）を下回り、最も薄くなる。
【００９３】
これに対して、実油膜温度Ｔａｃｔと目標油膜温度Ｔｔａｒｇｅｔとの差分に応じた油圧補正量の分だけて油圧が増加されることにより、図１３の実線の矢印に示すように、荷重がＦ（１）となる時点（Ｇ点）においても、油膜厚さが下限値Ｔｈ（０）よりも大きい状態で維持される。そのため、実油膜温度Ｔａｃｔが目標油膜温度Ｔｔａｒｇｅｔに到達するまでの間に摺動部において油膜切れが発生することが抑制される。
【００９４】
以上のようにして、本実施の形態に係る内燃機関によると、摺動部における作動油の実油膜温度Ｔａｃｔと目標油膜温度Ｔｔａｒｇｅｔとの差分が大きい場合には、差分が小さい場合よりも作動油の油圧補正量が増加するようにオイルポンプ３０が制御されるので、エンジン１の運転状態が変化する場合にも作動油の油膜厚さを厚くして摺動部における油膜切れの発生を抑制することができる。したがって、内燃機関の運転状態が変化する場合に摺動部における油膜切れの発生を抑制する内燃機関を提供することができる。
【００９５】
さらに、実油膜温度Ｔａｃｔが目標油膜温度Ｔｔａｒｇｅｔになるまでの間において作動油の実油膜厚さが下限値Ｔｈ（０）を下回らないように油圧補正量が設定されるので、温度の上昇遅れによる作動油の実油膜厚さの低下分を油圧補正量によって補うことができる。そのため、摺動部における油膜切れの発生を抑制することができる。
【００９６】
さらに、作動油の実油膜温度Ｔａｃｔから目標油膜温度Ｔｔａｒｇｅｔを減算した値がしきい値αよりも大きくなる場合に開閉弁４２が制御されるので、オイルクーラ４１に冷却水が供給されることにより、作動油の実油膜温度Ｔａｃｔを目標油膜温度Ｔｔａｒｇｅｔになるまで温度を上昇させることができる。さらに、実油膜温度Ｔａｃｔの目標油膜温度に対する上昇遅れの期間において油圧を増加させることによって摺動部における油膜切れの発生を抑制することができる。
【００９７】
以下、変形例について説明する。
上述の実施の形態では、ジャーナル温度を補正して実油膜温度Ｔａｃｔを算出するものとして説明したが、たとえば、ジャーナル温度を実油膜温度Ｔａｃｔとしてもよいし、エンジン１の内部の作動油の温度を取得して、取得された作動油の温度を補正して実油膜温度Ｔａｃｔを算出してもよいし、エンジン１の内部の作動油の温度を実油膜温度Ｔａｃｔとしてもよい。
【００９８】
制御装置２００は、たとえば、エンジン１への燃料噴射量と、エンジン回転数とに基づいて補正係数を設定し、設定された補正係数とエンジン１の内部の作動油の温度とを乗算した値を実油膜温度Ｔａｃｔとして算出してもよい。この場合、制御装置２００は、たとえば、燃料噴射量とエンジン回転数と補正係数との関係を示すマップを用いて補正係数を設定してもよい。燃料噴射量とエンジン回転数と補正係数との関係を示すマップは、実験等によって予め作成され、制御装置２００のメモリ等に記憶される。
【００９９】
さらに上述の実施の形態では、実油膜温度Ｔａｃｔから目標油膜温度Ｔｔａｒｇｅｔを減算した値がしきい値αよりも大きい場合に開閉弁４２を開状態にするものとして説明したが、たとえば、実油膜温度Ｔａｃｔから目標油膜温度Ｔｔａｒｇｅｔを減算した値がしきい値αよりも大きい場合に、電動ウォータポンプ４０の流量を、実油膜温度Ｔａｃｔから目標油膜温度Ｔｔａｒｇｅｔを減算した値がしきい値α以下である場合よりも増量するように電動ウォータポンプ４０を制御してもよい。
【０１００】
このようにすると、冷却水の流量が増量するので作動油の温度を低下させることができる。これにより、実油膜温度Ｔａｃｔを目標油膜温度Ｔｔａｒｇｅｔに近づけることができる。その結果、クランクシャフト２０の摺動部の潤滑状態を最適な状態にすることができる。
【０１０１】
さらに上述の実施の形態では、実油膜温度Ｔａｃｔから目標油膜温度Ｔｔａｒｇｅｔを減算した値がしきい値αよりも大きい場合に、開閉弁４２を開状態にするものとして説明したが、たとえば、オイルポンプ３０の吐出流量を、実油膜温度Ｔａｃｔから目標油膜温度Ｔｔａｒｇｅｔを減算した値がα以下である場合よりも増量するようにオイルポンプ３０を制御してもよい。
【０１０２】
このようにすると、作動油の吐出流量が増量するので作動油の温度を低下させることができる。これにより、実油膜温度Ｔａｃｔを目標油膜温度Ｔｔａｒｇｅｔに近づけることができる。その結果、クランクシャフト２０の摺動部の潤滑状態を最適な状態にすることができる。
【０１０３】
さらに上述の実施の形態では、実油膜温度Ｔａｃｔから目標油膜温度Ｔｔａｒｇｅｔを減算した値がしきい値αよりも大きい場合に開閉弁４２を開状態にするものとして説明したが、たとえば、開閉弁４２の開度を調整可能とし、実油膜温度Ｔａｃｔから目標油膜温度Ｔｔａｒｇｅｔを減算した値がしきい値αよりも大きい場合の開閉弁４２の開度を、実油膜温度Ｔａｃｔから目標油膜温度Ｔｔａｒｇｅｔを減算した値がしきい値α以下である場合よりも大きくするように開閉弁４２を制御してもよい。
【０１０４】
このようにすると、オイルクーラ４１への冷却水の流量が増量するので作動油の温度を低下させることができる。これにより、実油膜温度Ｔａｃｔを目標油膜温度Ｔｔａｒｇｅｔに近づけることができる。その結果、クランクシャフト２０の摺動部の潤滑状態を最適な状態にすることができる。
【０１０５】
さらに上述の実施の形態では、アクセル開度とエンジン回転数とを取得するものとして説明したが、エンジン１がディーゼルエンジンである場合には、アクセル開度に代えて燃料噴射量を取得してもよい。
【０１０６】
さらに上述の実施の形態では、エンジン１の運転状態に基づいて油圧の要求値を算出し、実油膜温度Ｔａｃｔと目標油膜温度Ｔｔａｒｇｅｔとの差分を用いて油圧補正量を算出するものとし、要求値に油圧補正量を加算することによって指令値を算出するものとして説明したが、たとえば、エンジン１の運転状態と差分とマップ等とを用いて直接的に指令値を算出してもよい。
【０１０７】
なお、上記した変形例は、その全部または一部を組み合わせて実施してもよい。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０８】
１  エンジン、１０  シリンダヘッド、１２  シリンダブロック、１３  ボア壁、１４  ピストン、１６  コネクティングロッド、１８  クランクピン、２０  クランクシャフト、２２  クランクジャーナル、２３  軸受部、３０  オイルポンプ、３２  ストレーナ、３４  作動油配管、３６  メインオイルホール、４０  電動ウォータポンプ、４０ａ，４１ａ  流入口、４０ｂ，４０ｃ，４１ｂ  流出口、４１  オイルクーラ、４２  開閉弁、４４，４６，４８  冷却水配管、５０，５２  ウォータジャケット、１０２  エンジン回転数センサ、１０４  ジャーナル温度センサ、１０６  アクセル開度センサ、２００  制御装置。
【図１】
2020007970.tif 000003
【図２】
2020007970.tif 000004
【図３】
2020007970.tif 000005
【図４】
2020007970.tif 000006
【図５】
2020007970.tif 000007
【図６】
2020007970.tif 000008
【図７】
2020007970.tif 000009
【図８】
2020007970.tif 000010
【図９】
2020007970.tif 000011
【図１０】
2020007970.tif 000012
【図１１】
2020007970.tif 000013
【図１２】
2020007970.tif 000014
【図１３】
2020007970.tif 000015